(57)【要約】  ケーブルコアに固定される固定部と、固定部から延出する延出保持部とを備えた光ファイバケーブル用分岐具。延出保持部には、光ファイバを保持する保持溝が延出方向に沿って形成されている。光ファイバケーブルのシースの一部を剥がしてケーブルコアを露出させ、このケーブルコアに分岐具の固定部を固定し、ケーブルコアから取り出した光ファイバを延出保持部の保持溝に保持させることによって分岐させる。
2010001954.tif 000002
【特許請求の範囲】
【請求項１】
ケーブルコアからシースを剥離可能な光ファイバケーブルから光ファイバを取り出して分岐光ファイバとするための光ファイバケーブル用分岐具であって、
前記ケーブルコアに固定される固定部と、前記固定部から延出する延出保持部とを備え、
前記延出保持部に、前記光ファイバを収容する保持溝が前記延出方向に沿って形成されていることを特徴とする光ファイバケーブル用分岐具。
【請求項２】
前記固定部は、前記ケーブルコアの外面形状に即した断面略円弧状の固定面を有することを特徴とする請求項１に記載の光ファイバケーブル用分岐具。
【請求項３】
前記延出保持部は、前記固定部を前記ケーブルコアに固定した状態において、前記ケーブルコアに対し傾斜し、前記光ファイバを前記保持溝内に傾斜状態で支持可能であることを特徴とする請求項１記載の光ファイバケーブル用分岐具。
【請求項４】
前記保持溝は、前記固定部の前記ケーブルコア側の面に達するように形成されていることを特徴とする請求項１に記載の光ファイバケーブル用分岐具。
【請求項５】
前記ケーブルコアに、前記光ファイバが収容されるスロット溝が形成されており、
前記固定部は、前記スロット溝に挿入される位置決め凸部を有することを特徴とする請求項１に記載の光ファイバケーブル用分岐具。
【請求項６】
前記固定部の前記ケーブルコアへの固定面とは反対の面には、前記固定部を固定具により前記ケーブルコアに固定する際に前記固定具の移動を阻止する移動阻止凸部が形成されていることを特徴とする請求項１に記載の光ファイバケーブル用分岐具。
【請求項７】
前記固定部が、固定部本体と、前記固定部本体の両側部から延出する保持片とを有し、
前記保持片は、前記ケーブルコアを挟み込んで保持可能とされていることを特徴とする請求項１に記載の光ファイバケーブル用分岐具。
【請求項８】
前記延出保持部の外周面には、この延出保持部に装着可能な保護チューブの滑り止め用の凸部が形成されていることを特徴とする請求項１に記載の光ファイバケーブル用分岐具。
【請求項９】
前記延出保持部は、前記固定部を前記ケーブルコアに固定した状態において、前記ケーブルコアに対しほぼ平行であることを特徴とする請求項１記載の光ファイバケーブル用分岐具。
【請求項１０】
前記延出保持部の先端部は、先端に向けて徐々に外径が小さくなるように形成されていることを特徴とする請求項１に記載の光ファイバケーブル用分岐具。
【請求項１１】
ケーブルコアからシースを剥離可能な光ファイバケーブルから光ファイバを取り出して、光ファイバケーブル用分岐具を用いて分岐する光ファイバケーブルの分岐方法であって、
前記光ファイバケーブル用分岐具が、前記ケーブルコアに固定される固定部と、前記固定部から延出する延出保持部とを備え、前記延出保持部に、前記光ファイバを保持する保持溝が前記延出方向に沿って形成されており、
前記光ファイバケーブルの所定の長さ範囲において前記シースを剥がして前記ケーブルコアを露出させ、このケーブルコアに前記分岐具の固定部を固定し、前記ケーブルコアから取り出した前記光ファイバを前記延出保持部の保持溝に収容することによって、前記延出方向に延びる分岐光ファイバとすることを特徴とする光ファイバケーブルの分岐方法。
【請求項１２】
前記分岐した光ファイバに、保護チューブを被せ、この保護チューブの端部を前記延出保持部に被せることを特徴とする請求項１１に記載の光ファイバケーブルの分岐方法。
【請求項１３】
前記シースは、ケーブル長さ方向に延びる一対の弱化部分によって、周方向の一部である第１部分と、それ以外の部分である第２部分とに区画され、
前記ケーブルコアが、前記光ファイバが収容されるスロット溝を有し、
前記シース剥離にあたって、前記第１部分を前記弱化部分に沿って前記第２部分から分離し、
前記ケーブルコアから光ファイバを取り出した後、前記ケーブルコアに、前記剥がしたシースの第２部分を被せて前記スロット溝を覆うことを特徴とする請求項１１に記載の光ファイバケーブルの分岐方法。
【請求項１４】
前記光ファイバケーブル用分岐具を、前記ケーブルコアに、その長さ方向に位置を違えて複数取り付けることを特徴とする請求項１１に記載の光ファイバケーブルの分岐方法。
【請求項１５】
請求項１に記載の光ファイバケーブル用分岐具を用いて分岐された光ファイバケーブルの分岐構造であって、
前記シースの剥離により露出した部分の前記ケーブルコアに、前記固定部が固定されることによって、前記光ファイバケーブル用分岐具が取り付けられ、
前記ケーブルコアから取り出された光ファイバが、前記保持溝に収容された状態で前記延出保持部に支持されていることを特徴とする光ファイバケーブルの分岐構造。
【発明の詳細な説明】
【技術分野】
【０００１】
本発明は、光ファイバケーブルの中間後分岐に用いられる分岐具およびこれを用いた分岐方法に関し、特に屋内に布設される光ファイバケーブルの分岐に用いられる分岐具および分岐方法に関する。
本願は、２００８年７月２日に日本に出願された特願２００８−１７３６１８号に基づき優先権を主張し、その内容をここに援用する。
【背景技術】
【０００２】
光ファイバを用いた光伝送線路において、例えば光ファイバネットワークの構築には、光ファイバケーブルを布設した後、この光ファイバケーブルを途中から分岐させる中間後分岐の技術が必要である（例えば特許文献１参照）。
光ファイバケーブルの分岐には、分岐部分に取り付け可能なケース状の分岐具を用いることがある（例えば特許文献２参照）。
【先行技術文献】
【特許文献】
【０００３】
【特許文献１】特開平８−２２０３９０号公報
【特許文献２】特開２００１−１１６９６８号公報
【発明の概要】
【発明が解決しようとする課題】
【０００４】
しかしながら、上記光ファイバケーブルの分岐方法では、分岐具のサイズが大きいことなどから、特に多数の光ファイバケーブルが密集して配設されている場合において分岐作業が容易ではなかった。
本発明は、前記事情に鑑みてなされたもので、光ファイバケーブルの分岐作業が容易になる分岐具およびこれを用いた分岐方法の提供を目的とする。
【課題を解決するための手段】
【０００５】
本発明の光ファイバケーブル用分岐具は、ケーブルコアからシースを剥離可能な光ファイバケーブルから光ファイバを取り出して分岐光ファイバとするための光ファイバケーブル用分岐具であって、前記ケーブルコアに固定される固定部と、前記固定部から延出する延出保持部とを備え、前記延出保持部に、前記光ファイバを収容する保持溝が前記延出方向に沿って形成されている光ファイバケーブル用分岐具である。
前記固定部は、前記ケーブルコアの外面形状に即した断面略円弧状の固定面を有することが好ましい。
前記延出保持部は、前記固定部を前記ケーブルコアに固定した状態において、前記ケーブルコアに対し傾斜し、前記光ファイバを前記保持溝内に傾斜状態で支持可能であることが好ましい。
前記保持溝は、前記固定部の前記ケーブルコア側の面に達するように形成されていることが好ましい。
前記ケーブルコアは、前記光ファイバが収容されるスロット溝が形成されていることが好ましく、前記固定部は、前記スロット溝に挿入される位置決め凸部を有することが好ましい。
前記固定部の前記ケーブルコアへの固定面とは反対の面には、前記固定部を固定具により前記ケーブルコアに固定する際に前記固定具の移動を阻止する移動阻止凸部が形成されていることが好ましい。
前記固定部は、固定部本体と、前記固定部本体の両側部から延出する保持片とを有し、前記保持片は、前記ケーブルコアを挟み込んで保持可能とされていることが好ましい。
前記延出保持部の外周面には、この延出保持部に装着可能な保護チューブの滑り止め用の凸部が形成されていることが好ましい。
前記延出保持部は、前記固定部を前記ケーブルコアに固定した状態において、前記ケーブルコアに対しほぼ平行であってもよい。
前記延出保持部の先端部は、先端に向けて徐々に外径が小さくなるように形成されていることが好ましい。【０００６】
本発明の光ファイバケーブルの分岐方法は、ケーブルコアからシースを剥離可能な光ファイバケーブルから光ファイバを取り出して、光ファイバケーブル用分岐具を用いて分岐する光ファイバケーブルの分岐方法であって、前記光ファイバケーブル用分岐具が、前記ケーブルコアに固定される固定部と、前記固定部から延出する延出保持部とを備え、前記延出保持部に、前記光ファイバを保持する保持溝が前記延出方向に沿って形成されており、前記光ファイバケーブルの所定の長さ範囲において前記シースを剥がして前記ケーブルコアを露出させ、このケーブルコアに前記分岐具の固定部を固定し、前記ケーブルコアから取り出した前記光ファイバを前記延出保持部の保持溝に収容することによって、前記延出方向に延びる分岐光ファイバとすることを特徴とする。
本発明では、前記分岐した光ファイバに、保護チューブを被せ、この保護チューブの端部を前記延出保持部に被せることが好ましい。
本発明では、前記シースが、ケーブル長さ方向に延びる一対の弱化部分によって、周方向の一部である第１部分と、それ以外の部分である第２部分とに区画され、前記ケーブルコアが、前記光ファイバが収容されるスロット溝を有し、前記シース剥離にあたって、前記第１部分を前記弱化部分に沿って前記第２部分から分離し、前記ケーブルコアから光ファイバを取り出した後、前記ケーブルコアに、前記剥がしたシースの第２部分を被せて前記スロット溝を覆うことが好ましい。
本発明では、前記光ファイバケーブル用分岐具を、前記ケーブルコアに、その長さ方向に位置を違えて複数取り付けることができる。【０００７】
本発明の光ファイバケーブルの分岐構造は、上記光ファイバケーブル用分岐具を用いて分岐された光ファイバケーブルの分岐構造であって、前記シースの剥離により露出した部分の前記ケーブルコアに、前記固定部が固定されることによって、前記光ファイバケーブル用分岐具が取り付けられ、前記ケーブルコアから取り出された光ファイバが、前記保持溝に収容された状態で前記延出保持部に支持されていることを特徴とする。
【発明の効果】
【０００８】
本発明では、ケーブルコアに固定される固定部と、光ファイバを収容する保持溝を有する延出保持部とを備えた分岐具を用いる。この分岐具は構造が簡略であり、ケース状の分岐具に比べて全体のサイズを小さくできるため、省スペース化が可能となる。
従って、多数の光ファイバケーブルが密集して配設されて空きスペースが小さくなっている場合にも、中間後分岐が容易となる。
また、固定部をケーブルコアに固定するとともに、光ファイバを延出保持部の保持溝に保持させることにより分岐作業ができるため、作業が簡単である。また、分岐した光ファイバの処理が容易となる。
本発明の分岐具は、延出保持部に、光ファイバを収容する保持溝が形成されているので、分岐部分の光ファイバを保護し、破損を防ぐことができる。
また、延出保持部によって光ファイバの延出方向を規定することができるため、この延出方向を、光ファイバに無理な曲げが加えられず、かつ他の機器への接続等に好適な範囲に設定することができる。従って、光ファイバの光接続を良好に維持することができる。
【図面の簡単な説明】
【０００９】
【図１】本発明にかかる分岐具の一例を示す斜視図である。
【図２】図１に示す分岐具の一方側から見た側面図である。
【図３】図１に示す分岐具の他方側から見た側面図である。
【図４】図１に示す分岐具の上面図である。
【図５】図１に示す分岐具の正面図である。
【図６】図１に示す分岐具の背面図である。
【図７】図１に示す分岐具の下面図である。
【図８】本発明の分岐方法を適用可能な光ファイバケーブルの一例の概略構成を示す断面図である。
【図９】光ファイバケーブルからの光ファイバの取り出し方法の一例を示す説明図である。
【図１０】本発明の分岐方法の一例を説明する説明図である。
【図１１】前図に続く分岐方法の説明図である。
【図１２】前図に続く分岐方法の説明図である。
【図１３】前図に続く分岐方法の説明図である。
【図１４】前図に続く分岐方法の説明図である。
【図１５】前図に続く分岐方法の説明図である。
【図１６】前図に続く分岐方法の説明図である。
【図１７】前図に続く分岐方法の説明図である。
【図１８】本発明の分岐具の他の使用例を示す図である。
【図１９】本発明の分岐具の他の例を示す図である。
【図２０】本発明にかかる分岐具のさらに他の例を示す斜視図である。
【図２１】図２０に示す分岐具の一方側から見た側面図である。
【図２２】図２０に示す分岐具の他方側から見た側面図である。
【図２３】図２０に示す分岐具の上面図である。
【図２４】図２０に示す分岐具の正面図である。
【図２５】図２０に示す分岐具の下面図である。
【図２６】図２０に示す分岐具の背面図である。
【図２７】図２０に示す分岐具の使用例を示す側面図である。
【発明を実施するための形態】
【００１０】
以下、図１〜図８を参照して本発明の実施形態を説明する。
図１は本発明にかかる光ファイバケーブル用分岐具の一例である光ファイバケーブル用分岐具１（以下、単に分岐具１ということがある）を示す斜視図である。図２は分岐具１の一方側から見た側面図である。図３は分岐具１の他方側から見た側面図である。図４は分岐具１の上面図である。図５は分岐具１の正面図である。図６は分岐具１の背面図である。図７は分岐具１の下面図である。
【００１１】
図８は、本発明の分岐方法を適用可能な光ファイバケーブルの一例である光ファイバケーブル２１の概略構成を示す断面図である。
光ファイバケーブル２１は、ケーブルコア２２（ケーブル本体）の外周にシース２３が形成された構成を有する。
この例のケーブルコア２２は、スロット溝２４（光ファイバ収容溝）が形成されたスロット部材２２ｂと、スロット溝２４に収容された複数の光ファイバ２２ａとを備えている。符号２２ｃは抗張力体である。スロット溝２４は、ケーブル長さ方向に沿って形成されている。
シース２３の外面には、ケーブル長さ方向に沿う一対の溝状のノッチ２３ｃ、２３ｃ（弱化部分）が、周方向に互いに離間して形成され、これらノッチ２３ｃ、２３ｃによって、シース２３は周方向に２つの部分２３ａ、２３ｂに区画されている。第１部分２３ａは、ノッチ２３ｃ間の距離が比較的小さい部分であり、第２部分２３ｂはそれ以外の部分であり、断面略Ｃ形になっている。
光ファイバ２２ａは、光ファイバテープ心線が好適であるが、これに限定されず、任意の単心または多心の光ファイバ心線、光ファイバ素線等を使用できる。
【００１２】
図９（ａ）〜図９（ｄ）は、光ファイバケーブル２１から光ファイバ２２ａを取り出す手順の一例を示す図である。
図９（ａ）、図９（ｂ）に示すように、シース２３をカッター２７で周方向に切断した後、この切断部分からノッチ２３ｃでシース２３を引き裂くようにして第１部分２３ａを第２部分２３ｂから分離することによって、ケーブルコア２２を露出させる。
次いで、図９（ｃ）、図９（ｄ）に示すように、ケーブルコア２２のスロット溝２４内の複数の光ファイバ２２ａのうち一部を切断し、スロット溝２４から取り出すことができる。他の光ファイバ２２ａは、スロット溝２４内に残す。
剥がした部分の第２部分２３ｂを、再びケーブルコア２２に被せてスロット溝２４を覆うことによって、スロット溝２４内の光ファイバ２２ａが外に出るのを防ぐことができる。
【００１３】
図１に示すように、分岐具１は、光ファイバケーブル２１のケーブルコア２２の外面に固定される固定部２と、固定部２から斜め方向に延出する延出保持部３とを備えている。
固定部２は、断面略円弧状に湾曲した板状の固定部本体４と、固定部本体４の内面（ケーブルコア側の面）である固定面４ａに形成された位置決め凸部５と、固定部本体４の外面４ｂ上部に形成された基台部６と、外面４ｂに形成された移動阻止凸部７ａ、７ｂとを有する。
なお、以下の説明において「上および下」は、図２および図３に示されている分岐具１における上および下をいい、断面略円弧状の固定部本体４の軸方向の一端側および他端側に相当する。また、径方向とは固定部本体４の径方向である。
【００１４】
固定部本体４の固定面４ａは、ケーブルコア２２の外面形状に即した断面略円弧状とすると、ケーブルコア２２に対する固定部２の姿勢を安定させることができるため好ましい。固定部本体４は、例えばケーブルコア２２の外径と同程度の幅とすることができる。
図４、図５および図７に示すように、位置決め凸部５は断面略矩形状とされ、固定面４ａの周方向のほぼ中央位置に、固定部本体４の上端から下端にかけて形成されている。
位置決め凸部５は、後述するスロット溝２４に挿入可能に形成すると、ケーブルコア２２に対する固定部２の姿勢を安定させることができるため好ましい。
【００１５】
図１に示すように、基台部６は、固定部本体４の外面４ｂに、径方向外方に突出して形成されている。基台部６は、上端に向けて徐々に突出高さを増すように形成され、その上面６ａは傾斜面となっている。
移動阻止凸部７ａ、７ｂは、外面４ｂにおいて基台部６より下方に、上下に間隔をおいて形成されている。
移動阻止凸部７ａ、７ｂはそれぞれ上下方向に対し垂直に形成され、図６に示すように、固定部本体４の両側縁に達している。
【００１６】
図１に示すように、延出保持部３は、基台部６の上面６ａから延出するロッド状の本体部９と、その先端に形成された先端部１０とを備えている。
本体部９は円柱状に形成され、上方に向けて外方に傾斜している。このため、延出保持部３の延出方向は、固定部本体４の軸方向（固定部本体４をケーブルコア２２に固定した状態におけるケーブルコア２２の軸方向）に対し傾斜する方向となる。
本体部９の外周面には、その周方向に沿って１または複数の突条である滑止め用凸部９ａが形成されている。
先端部１０は、先端に向けて徐々に外径が小さくなる円錐台状とされている。先端部１０の形状を、先端に向け外径が小さくなる形状とすることによって、延出保持部３への保護チューブ１４の装着が容易になる。
先端部１０の最大外径は滑止め用凸部９ａの外径とほぼ同じか、やや大きい程度とするのが好ましい。
上下方向（固定部本体４の軸方向）に対する延出保持部３の傾斜角度は、特に限定されないが、光ファイバ２２ａに無理な曲げが加えられず、かつ他の機器への接続等に好適な範囲で設定される。
【００１７】
延出保持部３の固定部２側（光ファイバケーブル２１側）には、全長にわたって、光ファイバ２２ａを収容し保持するための保持溝１１が形成されている。
保持溝１１は、断面略矩形状とされ、延出保持部３の軸方向、すなわち延出方向に沿って形成されている。
図１および図５に示すように、保持溝１１は、固定部２のケーブルコア２２側の面に達するように形成するのが好ましい。図示例では、保持溝１１は、基台部６、固定部本体４を経て位置決め凸部５の突出面５ａに達して形成されている。
【００１８】
次に、図１０〜図１７を参照しつつ、先の構成の分岐具１を用いて光ファイバケーブルの分岐作業を行う方法の一例を説明する。
本発明の分岐方法は、屋内に布設された光ファイバケーブルの分岐作業に用いるのが好ましい。
図１０に示すように、光ファイバケーブル２１のシース２３をカッター等で切断する。切断部分を符号２３ｄで示す。
【００１９】
次いで、図１１に示すように、この切断箇所から所定の長さの部分のシース２３にケーブル長さ方向の切れ目を入れ、この部分のシース２３を剥離させ、ケーブルコア２２を露出させる。
例えば、図８に示すように、第１部分２３ａをノッチ２３ｃに沿って第２部分２３ｂから分離することによって、シース２３をケーブルコア２２から剥離させ、ケーブルコア２２を露出させることができる。
剥がした部分のシース２３は、作業の邪魔にならないように、作業に関与しない部分のシース２３などに仮止めすることが好ましい。
【００２０】
次いで、図１２に示すように、ケーブルコア２２のスロット溝２４内の複数の光ファイバ２２ａのうち一部を切断し、スロット溝２４から取り出す。
次いで、図１３に示すように、分岐具１をケーブルコア２２の外面に配置する。
この際、固定部本体４の固定面４ａをケーブルコア２２に向けるとともに、位置決め凸部５をスロット溝２４に挿入する（図１参照）。この状態で固定部本体４の軸方向はケーブルコア２２の軸方向に一致する。これによって、保持溝１１がスロット溝２４に向けられ、光ファイバ２２ａを保持溝１１内に導くのが容易になる。
また、位置決め凸部５をスロット溝２４に挿入すると、ケーブルコア２２に対する固定部２の姿勢を安定させることができる。
保持溝１１は延出保持部３の延出方向に沿って形成されているため、保持溝１１内に配置された光ファイバ２２ａは、ケーブルコア２２から傾斜して外方に延出した状態で延出保持部３に支持される。
【００２１】
次いで、図１４に示すように、バンド状の締め付け固定具１３を用いて固定部２をケーブルコア２２に固定する。
締め付け固定具１３としては、係止穴１３ａを有する係止部１３ｂがバンド１３ｃの一端に設けられ、バンド１３ｃを係止穴１３ａに通して任意の位置で係止可能な構造のもの（例えばいわゆるインシュロックタイ）などの結束具が採用できる。
図示例では、締め付け固定具１３のバンド１３ｃが固定部２およびケーブルコア２２に一括して巻き付けられ、固定部２がケーブルコア２２に締め付け固定された状態でバンド１３ｃが係止部１３ｂにより係止されている。
この際、バンド１３ｃを、固定部本体４の外面４ｂの移動阻止凸部７ａ、７ｂ間を通るように巻き付けることによって、締め付け固定具１３の上下方向の移動を規制し、分岐具１の脱落を確実に防止できる。
なお、分岐具をケーブルコアに固定するための固定具は、固定部２をケーブルコア２２に固定することができるものであれば特に限定されない。
【００２２】
次いで、図１５に示すように、保護チューブ１４を光ファイバ２２ａに被せる。保護チューブ１４は、先端側から光ファイバ２２ａに通すことにより設置できる。
保護チューブ１４は光ファイバ２２ａを保護するものであって、合成樹脂などからなり、可撓性を有することが好ましい。保護チューブ１４を光ファイバ２２ａの長さ方向にわたって設けることによって、光ファイバ２２ａの光特性を良好に維持できる。
保護チューブ１４は、延出保持部３が挿入可能な内径を有し、端部１４ａを延出保持部３に被せた状態で固定するのが好ましい。保護チューブ１４は、その弾性により延出保持部３に装着可能であることが好ましい。
保護チューブ１４は、本体部９の外周面に形成された滑止め用凸部９ａにより延出保持部３から抜けにくくなる。
【００２３】
次いで、図１６に示すように、上述の剥がした部分のシース２３（第２部分２３ｂ）を、露出部分のケーブルコア２２に被せる。この際、シース２３の先端から所定長さの部分を切除することによって、シース２３が分岐具１にかからないようにするのが好ましい。
ケーブルコア２２に被せたシース２３は、テープ状固定具２５などによりケーブルコア２２に固定することができる。
この図に示すように、分岐具１は、シース２３の一部除去により露出した部分のケーブルコア２２に取り付けられ、ケーブルコア２２から取り出された光ファイバ２２ａは、延出保持部３に支持されて延出する分岐光ファイバとなる。
図１７に示すように、光ファイバ２２ａは、他の機器、例えばローゼットなどの接続箱２６の内部の接続部（図示略）に接続することができる。
【００２４】
上記ケーブルコア２２に被せた部分のシース２３（第２部分２３ｂ）は、スロット溝２４内の光ファイバ２２ａがスロット溝２４外に出るのを防ぐ機能を果たす。
スロット溝２４内の光ファイバ２２ａを取り出す必要が生じた際には、再びこの部分のシース２３をケーブルコア２２から外すことができる。このシース２３を外す操作は、指等でシース２３を開いてケーブルコア２２から外すことにより容易に行うことができる。
【００２５】
分岐具１は、ケーブルコア２２に固定される固定部２と、光ファイバ２２ａを保持する保持溝１１を有する延出保持部３を備えた構成であるので、構造が簡略であり、ケース状の分岐具に比べて全体のサイズを小さくでき、省スペース化が可能となる。
従って、多数の光ファイバケーブルが密集して配設されて空きスペースが小さくなっている場合にも中間後分岐が容易となる。
また、固定部２をケーブルコア２２に固定するとともに、光ファイバ２２ａを保持溝１１に保持させることにより分岐作業ができるため、作業が簡単である。また、分岐した光ファイバ２２ａの処理が容易となる。
【００２６】
分岐具１は、延出保持部３に、光ファイバ２２ａを収容する保持溝１１が形成されているので、分岐部分の光ファイバ２２ａを保護し、破損を防ぐことができる。
また、延出保持部３によって光ファイバ２２ａの延出方向を規定することができるため、この延出方向を、光ファイバ２２ａに無理な曲げが加えられず、かつ他の機器への接続等に好適な範囲に設定することができる。従って、光ファイバ２２ａの光接続を良好に維持することができる。
【００２７】
本発明では、分岐具１の増設により分岐数を増やすこともできる。
図１８は、図１７に示す分岐具１に隣接して２つめの分岐具１を設置した構成を示すものである。
すなわち、ケーブルコア２２に、第１の分岐具１Ａにケーブル長さ方向に隣接させて第２の分岐具１Ｂを設置し、同様の手順で光ファイバ２２ａを分岐することができる。
同様にして分岐具１を増設すれば、分岐数をさらに増やすこともできる。
このように、ケーブルコア２２に、長さ方向に位置を違えて複数の分岐具１を取り付けることにより、利用者数に応じた分岐数の増加にも容易に対応できる。
【００２８】
なお、上述の例では、分岐具１は、延出保持部３が斜め上方を向くように配置したが、上下を逆にして、延出保持部３が斜め下方に向くように配置してもよい。
また、図示例では、延出保持部３に光ファイバ２２ａを収容する保持溝１１が形成されているが、延出保持部に光ファイバを保持する構造はこれに限らず、延出保持部に、延出方向に沿って形成された挿通孔（保持穴）であってもよい。
【００２９】
本発明では、分岐具の固定部に、ケーブルコア２２を保持する機能を与えることもできる。例えば保持片、係止爪、クリップ部などによりケーブルコア２２に係止可能とすることができる。
図１９は、固定部２がケーブルコア２２を保持する機能を有するものの一例であり、ここに示す分岐具３１では、固定部２は、固定部本体４と、固定部本体４の両側部から延出する断面円弧状の保持片３２、３２とを有する。保持片３２、３２は、ケーブルコア２２を挟み込んで保持可能である。この場合には、保持片３２、３２によって固定部２がケーブルコア２２に固定されるため、固定具１３は不要である。
【００３０】
図２０は本発明にかかる光ファイバケーブル用分岐具の他の例である光ファイバケーブル用分岐具４１（以下、単に分岐具４１ということがある）を示す斜視図である。図２１は分岐具４１の一方側から見た側面図である。図２２は分岐具４１の他方側から見た側面図である。図２３は分岐具４１の上面図である。図２４は分岐具４１の正面図である。図２５は分岐具４１の下面図である。図２６は分岐具４１の背面図である。
以下の説明において「上および下」は、図２０〜図２２および図２４における上および下をいい、断面略円弧状の固定部本体４４の軸方向の一端側および他端側に相当する。また、径方向とは固定部本体４４の径方向である。
【００３１】
図２０〜図２２および図２４に示すように、分岐具４１は、光ファイバケーブル２１のケーブルコア２２の外面に固定される固定部４２と、固定部４２から延出する延出保持部４３とを備えている。
固定部４２は、断面略円弧状に湾曲した板状の固定部本体４４と、固定部本体４４の外面４４ｂの上端部に形成された基台部４６と、固定部本体４４の外面４４ｂの下部に形成された移動阻止凸部４７ａ、４７ｂと、固定部本体４４の両側部から延出する保持片４８、４８とを備えている。
【００３２】
固定部本体４４の外面４４ｂの上部には、幅方向の中央位置に、上下方向に沿って外方に突出する突条である隆起部４９が形成されている。隆起部４９は上端部が基台部４６に一体化されて形成されている。
固定部本体４４の外面４４ｂには、隆起部４９の両側に、それぞれ１または複数の板状突出部５２が形成されている。
図２３および図２６に示すように、固定部本体４４の内面（固定面４４ａ）にはスロット溝２４に挿入可能な位置決め凸部４５が形成されている。
【００３３】
基台部４６は板状に形成され、固定部本体４４の上端部の外面に、径方向外方に突出して形成されている。
移動阻止凸部４７ａ、４７ｂは、固定部本体４４の外面４４ｂの下部に、上下に間隔をおいて形成されている。
図２０〜図２３に示すように、保持片４８、４８は、ケーブルコア２２を挟み込んで保持できるように構成されている。
【００３４】
延出保持部４３は、基台部４６の上面４６ａから上方に延出するロッド状に形成することができる。延出保持部４３の延出方向は、固定部本体４４の軸方向（固定部本体４４をケーブルコア２２に固定した状態におけるケーブルコア２２の軸方向）とほぼ平行となる。延出保持部４３の延出方向をこの方向とすることによって、分岐部分の省スペース化が可能となる。
図２０、図２３および図２６に示すように、延出保持部４３の内面側には、光ファイバ２２ａを収容する保持溝５１が形成されている。保持溝５１は、基台部４６、隆起部４９の内部を経て固定部本体４４の固定面４４ａに至るように形成されている。  
延出保持部４３の先端部５０は、先端に向けて徐々に外径が小さくなる円錐台状とされている。符号４９ａは滑止め用凸部である。
【００３５】
図２７に示すように、分岐具４１を用いて分岐作業を行うには、分岐具４１をケーブルコア２２の外面に配置し、光ファイバ２２ａを保持溝５１内に導き、延出保持部４３の先端から導出する。
分岐具４１は、締め付け固定具１３を用いてケーブルコア２２に固定する。締め付け固定具１３は移動阻止凸部４７ａ、４７ｂ間に巻き付けることができる。
延出保持部４３から導出した光ファイバ２２ａは保護チューブ１４に挿通させることができる。保護チューブ１４は延出保持部３に被せることができる。
【産業上の利用可能性】
【００３６】
本発明は、特に屋内に布設される光ファイバケーブルの中間後分岐作業に適用するのが好適である。
【符号の説明】
【００３７】
１，４１  光ファイバケーブル用分岐具
２，４２  固定部
３，４３  延出保持部
４ａ，４４ａ  固定面（ケーブルコア側の面）
４ｂ，４４ｂ  外面
５，４５  位置決め凸部
９ａ，４９ａ  滑止め用凸部
１０，５０  先端部
１１，５１  保持溝
１３  締め付け固定具
１４  保護チューブ
１４ａ  端部
２１  光ファイバケーブル
２２  ケーブルコア
２２ａ  光ファイバ（分岐光ファイバ）
２３  シース
２３ａ  第１部分
２３ｂ  第２部分
２３ｃ  ノッチ（弱化部分）
２４  スロット溝
３２  保持片
【図１】
2010001954.tif 000003
【図２】
2010001954.tif 000004
【図３】
2010001954.tif 000005
【図４】
2010001954.tif 000006
【図５】
2010001954.tif 000007
【図６】
2010001954.tif 000008
【図７】
2010001954.tif 000009
【図８】
2010001954.tif 000010
【図９】
2010001954.tif 000011
【図１０】
2010001954.tif 000012
【図１１】
2010001954.tif 000013
【図１２】
2010001954.tif 000014
【図１３】
2010001954.tif 000015
【図１４】
2010001954.tif 000016
【図１５】
2010001954.tif 000017
【図１６】
2010001954.tif 000018
【図１７】
2010001954.tif 000019
【図１８】
2010001954.tif 000020
【図１９】
2010001954.tif 000021
【図２０】
2010001954.tif 000022
【図２１】
2010001954.tif 000023
【図２２】
2010001954.tif 000024
【図２３】
2010001954.tif 000025
【図２４】
2010001954.tif 000026
【図２５】
2010001954.tif 000027
【図２６】
2010001954.tif 000028
【図２７】
2010001954.tif 000029
【国際調査報告】
2010001954.tif 000030
2010001954.tif 000031
2010001954.tif 000032
2010001954.tif 000033